(57)【要約】      （修正有）【課題】微細・軽量の塵埃だけでなく小粒子状の塵埃でも確実に捕捉できる掃除用シートを提供する。【解決手段】掃除具５０のシート取付台５１の全面を被覆し得る面積を有するベースシートの少なくとも片面に同形状の払拭シートを重合させて掃除用シートを構成する。前記ベースシートと前記払拭シートとを、その短辺方向両端部と短辺方向中間部２箇所とを４本の細幅接着部３で接着して、その短辺幅を三つの払拭部領域２１に区分する。さらに、前記各払拭シート２の払拭部領域２１に、多数のスリット２３，２３・・をそれぞれ形成して、使用時に塵埃を各スリット２３の開口部から払拭シートとベースシートとの間のポケット部分に侵入させることができ、微小範囲の中で比較的大きな塵埃（小粒子状塵埃）であっても確実に捕捉（保持）できる。【選択図】図１
0003163678.tif 000002
【実用新案登録請求の範囲】
【請求項１】
掃除具（５０）のシート取付台（５１）の全面を被覆し得る面積を有するベースシート（１）の少なくとも片面に同形状の払拭シート（２）を重合させてなる掃除用シートであって、
前記ベースシート（１）と前記払拭シート（２）とを、その短辺方向両端部と短辺方向中間部２箇所とを４本の細幅接着部（３），（３），（３），（３）で接着して、その短辺幅を三つの払拭部領域（２１），（２１），（２１）に区分するとともに、
前記各払拭シート（２），（２），（２）の払拭部領域（２１），（２１），（２１）には、多数のスリット（２３），（２３）・・をそれぞれ形成した
ことを特徴とする掃除用シート。
【請求項２】
請求項１において、
前記払拭シート（２）は、前記ベースシート（１）に対して複数枚重合されている
ことを特徴とする掃除用シート。
【請求項３】
請求項１又は２において、
前記各払拭部領域（２１），（２１），（２１）は、長辺方向において複数の矩形形状の小領域（２１ａ），（２１ａ）・・に区画されており、
該各小領域（２１ａ），（２１ａ）・・には、隣り合う小領域（２１ａ），（２１ａ）において直交する方向となる多数のスリット（２３），（２３）・・がそれぞれ形成されている
ことを特徴とする掃除用シート。
【考案の詳細な説明】
【技術分野】
【０００１】
本願考案は、手持ち式掃除具のシート取付台に取付けて使用する掃除用シートに関するものである。
【背景技術】
【０００２】
この種の掃除用シートは、主として床面の微小な塵埃をふき取るのに使用されるが、従来からシート面により多くの塵埃を捕捉するための各種の工夫が施されている。
【０００３】
例えば、特開平５−２５７６３号公報（特許文献１）や特開平５−５６９０２号公報（特許文献２）のようにシート払拭面に多数の凹凸加工（大凹凸部の中にさらに微小凹凸部がある）を施したもの、特開平１１−２７６４０１号公報（特許文献３）のように低密度で嵩高の不織布を使用したもの、特開２００１−３５３１１８号公報（特許文献４）のようにシート面に多数の開口を形成するとともに該開口部周囲に環状の突起を形成したもの、実用新案登録第３１５２２４４号公報（特許文献５）のようにシート払拭面の中央領域に多数のスリットを形成したもの、等がある。
【先行技術文献】
【特許文献】
【０００４】
【特許文献１】特開平５−２５７６３号公報
【特許文献２】特開平５−５６９０２号公報
【特許文献３】特開平１１−２７６４０１号公報
【特許文献４】特開２００１−３５３１１８号公報
【特許文献５】実用新案登録第３１５２２４４号公報
【考案の概要】
【考案が解決しようとする課題】
【０００５】
ところが、上記特許文献１及び２のものは、掃除用シートの払拭面に大小の凹凸加工を施しただけであるので、該払拭面の表面積は大きくなるものの、例えば重量がある小粒子状の塵埃に対しては捕捉機能が弱く、しかも一度シート払拭面に塵埃を付着させても、該塵埃が脱落し易いという問題がある。
【０００６】
又、上記特許文献３のように、低密度で嵩高の不織布を使用したものでは、繊維間に微細な空間が多くなるので、微小なゴミやホコリ（主として粉末状塵埃）は比較的多量に捕捉し得るものの、微小なものであっても比較的面積（又は体積）のある塵埃（例えば、小粒子状塵埃）は捕捉しにくいという問題がある。
【０００７】
さらに、上記特許文献４のもの（開口部周囲を環状突起にしたもの）では、環状突起内に塵埃の捕捉空間が形成されるので、一旦捕捉空間内に入った塵埃は脱落しにくいものの、環状突起内の捕捉空間に塵埃を侵入させにくく（塵埃捕捉機能ず劣る）、しかもシート払拭面を床面に押し付けると環状突起が簡単にへたってしまい（塵埃捕捉空間が閉じてしまい）、捕捉空間への塵埃捕捉機能が早期になくなってしまうという問題である。
【０００８】
さらにまた、上記特許文献５のように、シート払拭面の中央領域に多数のスリットを形成したものの場合、スリットによって、払拭シートとベースシートとの間に塵埃侵入用の開口部を形成することとなっており、該開口部から払拭シートとベースシートとの間のポケット内に塵埃を侵入・保持し得ることとなっているが、シート払拭面の中央領域にのみスリットが形成されているため、シート払拭面が汚れてくると、払拭シートを裏返して取り付けるという面倒な作業が必要となる。
【０００９】
本願考案は、上記した公知の掃除用シートの問題点を改善することを目的としてなされたもので、ホコリや毛髪のような微細・軽量の塵埃は当然ながら比較的大きな小粒子状の塵埃でも確実に捕捉でき、且つ一旦捕捉した塵埃が脱落しにくく、シート払拭面が汚れた場合にも払拭シートを取り外すことなく、使用が可能となる掃除用シートを提供することを目的としている。
【課題を解決するための手段】
【００１０】
本願考案は、上記課題を解決するための手段として次の構成を有している。
【００１１】
本願考案は、手持ち式掃除具のシート取付台（矩形板状）に取り付けて使用する掃除用シートを対象としている。なお、以下に示す各数値は、本願の掃除用シートを理解し易くするためのもので、特に限定するものではない。
【００１２】
この種の手持ち式掃除具のシート取付台（矩形板状）の大きさは、一般に長辺長さが２５〜３０ｃｍ程度で短辺長さが５ｃｍ〜７．５ｃｍ程度の範囲のものが多いが、以下の説明では、シート取付台の大きさを、便宜的に長辺長さが２６ｃｍ、短辺長さが６．５ｃｍとしたもので説明する。なお、以下の説明では、掃除具のシート取付台において、長辺方向を左右といい、短辺方向を前後ということがある。
【００１３】
本願考案の掃除用シートは、掃除具のシート取付台の全面を被覆し得る面積を有したベースシートの片面に３枚の矩形の払拭シートを重合させたものである。
【００１４】
ベースシートの材料には、一般に不織布（例えば、流動パラフィンを塗布（あるいは含浸）させないＰＰエアスルー）が多用されるが、本願では、ベースシートの材料として合成樹脂フィルムを使用してもよい。このベースシートの大きさは、適用される掃除具のシート取付台の長辺長さ（左右長さ）とほぼ同じ左右長さ（例えば、３０ｃｍ）で該シート取付台の短辺長さ（前後長さ）よりかなり長い前後長さ（例えば、１８ｃｍ）を有している。即ち、該ベースシートは、シート取付台の底面の面積に加えて、シート取付台の前後各側縁の上面を包み込む部分をそれぞれ一体に形成したものである。
【００１５】
払拭シートの材料としては、シート表面に塵埃を効率よく捕捉し得るものが採用されるが、特に不織布が好適である。なお、表層側（即ち、床面と接触する側）の払拭シートとして用いるものとしては、流動パラフィンを塗布（あるいは含浸）させた不織布（例えば、ＰＥＴスパンレース）が好適である。このようにすると、払拭シートに塗布（あるいは含浸）させる流動パラフィンの塗布量（含浸量）を多くできるところから、より細かなホコリ、塵埃を捕捉することができるようになる。ところで、不織布は、極細繊維が絡まったものであるから、その表面に微小な塵埃を捕捉し易いものである。この払拭シートの大きさは、上記ベースシートの大きさとほぼ同等とされ、矩形形状のものとされる。
【００１６】
ベースシートと払拭シートとは、その短辺方向両端部と短辺方向中間部２箇所とを４本の細幅接着部で接着されており、その短辺幅は三つの払拭部領域に区分されている。４本の細幅接着部は、払拭シートがベースシートに対して不用意に剥がれないようにするためのものであり、その接着方法としては、熱又は高周波による接着や接着剤による接着等が採用される。
【００１７】
４本の細幅接着部は、払拭シートの長辺方向（左右方向）に向けて平行に接着されている。又、この４本の細幅接着部間の間隔（払拭部領域となる）は、例えば６〜７ｃｍ程度が適当である。なお、払拭シートにおける各細幅接着部以外の部分（各払拭部領域）は、ベースシートに対して非接着状態となっている。
【００１８】
払拭シートの各払拭部領域には、短辺方向に平行な多数のスリットがそれぞれ形成されている。該各スリットは、払拭シートとベースシートとの間に塵埃侵入用の開口部を形成するためのものであり、該各スリットの切り込み端縁が開く（撓む）ことによって、その開口部から塵埃を払拭シートとベースシートとの間のポケット内に侵入・保持させ得るようになっている。
【００１９】
また、本願の掃除用シートでは、上記構成の払拭シートをベースシートに対して複数枚（例えば、３枚）重合させたものとしているが、１枚の払拭シートとベースシートとを重合させる場合もある。この場合、１枚の払拭シートの材料としては、流動パラフィンを塗布（あるいは含浸）させた不織布（例えば、ＰＥＴスパンレース）が採用される。
【００２０】
また、本願の掃除用シートでは、払拭シートの払拭部領域における多数のスリットの形状として、直線状のものが採用されている。該スリットは、１本当たり所定長さ（例えば、２〜５ｃｍ）のものを所定小間隔（例えば、１〜１．５ｃｍ間隔）をもって払拭部領域の全面に散在させるとよい。その場合、各スリット（直線状のもの）の向きは、払拭シートま長辺方向に向けたり、あるいは傾斜方向に向けたものでもよいが、短辺方向に向けたものが好ましい。このように、各スリットを短辺方向に向けたものでは、この掃除用シートを掃除具のシート取付台に装着して使用する際に、掃除具を左右（長辺方向）に往復移動させる関係で、各スリットが移動方向に対して直交方向に向くので、該各スリット内（ポケット）への塵埃侵入効率が良好となる。なお、前記払拭部領域を、長辺方向（左右方向）において複数の矩形形状の小領域に区画し、該各小領域に、隣り合う小領域において直交する方向となる多数のスリットをそれぞれ形成するようにしてもよく、その場合、払拭シートを動かす方向（例えば、左右方向あるいは前後方向）にかかわらず、塵埃の捕捉効果が低減することがなくなる。
【００２１】
本願の掃除用シートは、払拭シートが下面側に現れる状態で、掃除具のシート取付台を被覆するようにして取り付ける。このとき、掃除用シートをシート取付台の前後上面に折り返して、その折返し片の一部をシート取付台の上面に係止させておく。このように、掃除用シートの取付状態では、シート取付台の下面側および上面側に払拭シートが露出している。
【００２２】
そして、掃除具の柄を持って掃除用シートの底面で床面上を払拭すると、払拭シートの下面側に床面上の塵埃を付着させることができる。そのとき、払拭シートの払拭部領域においては、該払拭部領域の下面に微小塵埃を付着させ得るとともに、払拭部領域に形成されたスリットが表裏方向に撓んで該各スリットが開口し、そのスリット開口部から払拭シートとベースシートとの間のポケット内に塵埃（比較的大きな小粒子状塵埃）を侵入させることができる。このように、スリットの開口部から上記ポケット内に侵入した塵埃は、払拭シートとベースシートとの間に挟まれているので、振動や衝撃があっても容易に脱落しない。
【考案の効果】
【００２３】
本願考案の掃除用シートには、次のような効果がある。
【００２４】
（１）  ベースシートに重合させた払拭シートの払拭部領域に多数のスリットをそれぞれ形成しているので、使用時に塵埃を各スリットの開口部から払拭シートとベースシートとの間のポケット部分に侵入させることができ、微小範囲の中で比較的大きな塵埃（小粒子状塵埃）であっても確実に捕捉（保持）できる。しかも、掃除用シートは、シート取付台を被覆するようにして取り付けられることとなっているので、シート取付台の片面側の払拭シートが汚れた場合には、シート取付台を１８０°回転させると、シート取付台の上面側の未だ汚れていない払拭シートが下面側となるところから、掃除用シートをシート取付台から取り外すことなく、払拭作業を継続して行うことができる。
【００２５】
（２）  払拭シートの払拭部領域部分（多数のスリットがある領域）において微小範囲の中でも比較的大きな塵埃（小粒子状塵埃）を捕捉できる。
【００２６】
（３）  払拭シートをベースシートに対して複数枚重合させたものでは、塵埃捕捉能力が一層良好になる。
【００２７】
（４）  払拭部領域の隣り合う小領域におけるスリットは互いに直交する方向に向けて形成したものでは、払拭シートを動かす方向にかかわらず、塵埃の捕捉効果が低減することがなくなる。
【図面の簡単な説明】
【００２８】
【図１】本願の第１実施例の掃除用シートを掃除具に取り付けた状態の斜視図である。
【図２】図１の掃除用シートの一部を拡大した斜視図である。
【図３】図１の掃除用シートの平面図である。
【図４】図３のＩＶ−ＩＶ断面図である。
【図５】図３のＶ−Ｖ断面図である。
【図６】（イ）〜（ニ）はそれぞれ本願の掃除用シートにおける払拭シートの払拭部領域に形成されるスリットの他の形状例（第２〜第５実施例）を示す平面図である。
【考案を実施するための形態】
【実施例】
【００２９】
図１〜図６を参照して、本願実施例の掃除用シートを説明する。図１〜図５には、本願の第１実施例を示し、図６には、本願の第２〜第５実施例を示している。
【００３０】
なお、本願各実施例の掃除用シートの構成は、上記した「課題を解決するための手段」の項で説明したものと多々重複するが、再度以下に説明する。また、以下に示す各数値は、本願の掃除用シートを理解し易くするためのもので、要旨を変更しない範囲で適宜に変更できるものである。
【００３１】
本願各実施例の掃除用シートＳは、図１ないし図５に示すように、手持ち式の掃除具５０のシート取付台５１に取り付けて使用するものである。この実施例で使用する掃除具５０（図１）は、矩形板状のシート取付台５１の一方の側面に対して回転自在で且つ所定回転位置で位置決めされる柄５２に取り付けて構成されている。また、シート取付台５１の上面には、シート片の一部を係止するためのスリット状の係止部５３（３箇所）が長辺方向に所定間隔で形成されている。
【００３２】
シート取付台５１の大きさは、一般に長辺長さが２５〜３０ｃｍ程度で短辺長さが５ｃｍ〜７．５ｃｍ程度の範囲の面積で、厚さが２．５ｃｍ程度のものが多い。そして、以下の説明では、シート取付台５１の底面の大きさを長辺長さＬが３０ｃｍで短辺長さＭが２０ｃｍとしたもので説明する。なお、以下の説明では、掃除具のシート取付台において、長辺方向を左右といい、短辺方向を前後ということがある。
【００３３】
図１〜図５に示す第１実施例の掃除用シートは、掃除具５０のシート取付台５１の全面を被覆し得る面積を有したベースシート１の片面に３枚の払拭シート２ａ，２ｂ，２ｃを重合させたものである。
【００３４】
ここで、ベースシート１および払拭シート２ａ，２ｂ，２ｃの材質については、下記表１に示す通りである。
【００３５】
【表１】
0003163678.tif 000003
【００３６】
上記したように、払拭シート２ａ，２ｂ，２ｃのうち表層側（即ち、床面と接触する側）に位置する払拭シート２ｃとその他の払拭シート２ａ，２ｂとの材質を変えることで、次のような作用効果を期待することができる。
【００３７】
即ち、表層側（即ち、床面と接触する側）の払拭シート２ｃに用いられる不織布とその他の払拭シート２ａ，２ｂに用いられる不織布とを異ならしめたことにより、表層側の払拭シート２ｃに塗布（あるいは含浸）させる流動パラフィンの塗布量（含浸量）を多くできるところから、より細かなホコリ、塵埃を捕捉することができるようになる。
【００３８】
また、ベースシート１および払拭シート２ａ，２ｂ．２ｃの厚さは、１〜２ｍｍ程度のものが適当である。なお、ベースシート１は、直接床面に接触させる必要がない（塵埃捕捉機能が必要でない）ので、他の実施例では該ベースシート１として不織布に代えて合成樹脂フィルムを使用してもよい。
【００３９】
ベースシート１の大きさは、図１および図３に示すように、適用される掃除具のシート取付台５１の長辺長さ（左右長さ）Ｌとほぼ同じ長さＬ（例えば、３０ｃｍ）で該シート取付台５１の短辺長さ（前後長さ）Ｍよりかなり長い前後長さＷ（例えば、２０ｃｍ）の面積を有している。即ち、該ベースシート１および払拭シート２ａ，２ｂ，２ｃは、シート取付台５１の底面の面積に加えて、シート取付台５１の前後各側縁の上面を包み込むものである。そして、掃除用シートＳの短辺方向端部をシート取付台５１の上面の各係止部５３，５３，５３に係入させることで、掃除用シートＳをシート取付台５１に取り付け得るようになっている。
【００４０】
各払拭シート２ａ，２ｂ，２ｃの大きさは、適用される掃除具のシート取付台５１の長辺長さＬと同じ（例えば、３０ｃｍ）長辺長さで短辺長さＷがシート取付台５１の短辺長さＭ（６．７ｃｍ）の２倍よりやや長い（例えば、２０ｃｍ）程度のものである。
【００４１】
ベースシート１と各払拭シート２ａ，２ｂ，２ｃとは、該各払拭シート２ａ，２ｂ，２ｃをそれぞれベースシート１の表面側に重合させ、各払拭シート２ａ，２ｂ，２ｃの短辺方向端部および中間部を４本の細幅接着部３，３，３，３で接着して短辺幅Ｗを３つの払拭部領域２１，２１，２１に区分している。つまり、掃除用シートＳの短辺方向を所定幅Ｗ1の３つの払拭部領域２１，２１，２１を設けているのである。４本の細幅接着部３，３，３，３は、各払拭シート２ａ，２ｂ，２ｃがベースシート１に対して不用意に剥がれないようにするためのものであるが、この実施例では、ベースシート１および各払拭シート２ａ，２ｂ，２ｃが不織布（ベースシート１は合成樹脂フィルムの場合もある）であるので、各細幅接着部３，３，３，３を熱又は高周波によって接着させている。なお、各細幅接着部（熱接着部）３，３，３，３の各幅Ｎは、２〜４ｍｍ程度が適当である。
【００４２】
この４本の細幅接着部３，３，３，３は、各払拭シート２ａ，２ｂ，２ｃの長辺方向（左右方向）に向けて平行に接着されている。また、この４本の細幅接着部３，３，３，３間の間隔Ｗ1（払拭部領域２１となる）は、例えば、８ｃｍ程度が適当であり、なお、各払拭シート２ａ，２ｂ，２ｃにおける各細幅接着部３，３，３，３以外の部分（払拭部領域２１，２１，２１）は、ベースシート１に対して非接着状態となっている。
【００４３】
各払拭シート２ａ，２ｂ，２ｃの各払拭部領域２１，２１，２１には、それぞれ多数のスリット２３，２３・・が形成されている。この各スリット２３，２３・・は、図１〜図５の第１実施例では、各払拭部領域２１，２１，２１において長辺方向に所定間隔（例えば、１〜１．５ｃｍ間隔）をもって各スリット２３の切り込み端縁が図２に鎖線図示（符号２３′）するように、開く（撓む）ことによって、その開口部からかなりの大きさ（例えば、直径が２〜３ｍｍ程度の小粒子状）の塵埃を払拭シート２ａ，２ｂ，２ｃとベースシート１との間（ポケット）に侵入・保持させ得るようになっている。
【００４４】
第１実施例の掃除用シートＳは、図１に示すように、ベースシート１および払拭シート２ａ，２ｂ，２ｃ（即ち、掃除用シートＳ）でシート取付台５１を包み込むようにして取り付けられる。このとき、ベースシート１の下面側の払拭シート２ａ，２ｂ，２ｃは下方に露出している。
【００４５】
そして、この掃除用シート付きの掃除具５０を使用するには、掃除用シートＳの下面を払拭すべき床面に接触させた状態で、柄５２を持って左右に押し操作することで下面側の払拭シート２ｃにより床面上を払拭する。
【００４６】
各払拭シート２の払拭部領域２１においては、該各払拭部領域２１も床面に対して左右に摺動するので、払拭部領域２１に形成されたスリット２３，２３・・の切り込み端縁が撓んで開口するようになる。そして、各スリット２３，２３・・が開口すると、その開口部から微小範囲の中で比較的大きな塵埃（例えば、直径が２〜３ｍｍ程度の小粒子状塵埃）が侵入し、該塵埃が払拭シート２ａ，２ｂ，２ｃとベースシート１との間（ポケット）に挟まれた状態で保持される。このように、各スリット２３，２３・・の間に侵入・保持された塵埃は、付着しにくい性状のものであったり、比較的大きいものであったり、さらに振動や衝撃があっても脱落することがなく、塵埃捕捉状態が確実となる。
【００４７】
このように、第１実施例の掃除用シートＳでは、単一のもので、各払拭シート２ａ，２ｂ，２ｃの払拭部領域２１（各スリット２３，２３・・）による比較的大きい塵埃を捕捉できる。
【００４８】
また、この第１実施例の掃除用シートＳでは、シート取付台５１の片面側の払拭シート２ａ，２ｂ，２ｃ（特に、表層側の払拭シート２ｃ）が使用により汚れると、シート取付台５１を１８０°回転させると、シート取付台５１の上面側の未だ汚れていない払拭シート２ｃが下面側となるところから、掃除用シートＳをシート取付台５１から取り外すことなく、払拭作業を継続して行うことができる。
【００４９】
図６の（イ）〜（ニ）には、各払拭シート２ａ，２ｂ，２ｃの各払拭部領域２１，２１，２１に形成された各スリット２３，２３・・のそれぞれ変形例（第２〜第５実施例）を示している。
【００５０】
図６（イ）の第２実施例のものでは、各スリット２３，２３・・は、払拭シート２，２，２の払拭部領域２１，２１，２１において各払拭シート２ａ，２ｂ，２ｃの短辺方向に所定小間隔（例えば、１〜１．５ｃｍ間隔）をもって長辺方向と平行に向けて多数形成している。
【００５１】
図６（ロ）の第３実施例のものでは、各スリット２３，２３・・は、各払拭シート２ａ，２ｂ，２ｃの払拭部領域２１，２１，２１において短かい直線状のものを各払拭シート２，２，２の長辺方向に対して角度４５°程度傾斜する方向に向けて形成している。
【００５２】
図６（ハ）の第４実施例のものでは、各スリット２３，２３・・は、各払拭シート２ａ，２ｂ，２ｃの払拭部領域２１，２１，２１において円弧状に切り込みを入れたものを多数形成している。この場合、円弧状の各スリット２３，２３・・では、該スリット部分が舌片状に開放されるが、その開放される向きが前方側に開放されるものと後方側に開放されるものとが混在するように形成するとよい。
【００５３】
図６（ニ）の第５実施例のものでは、各払拭シート２１，２１，２１の各払拭部領域２１，２１，２１は、長辺方向（左右方向）において複数の矩形形状の小領域２１ａ，２１ａ・・に区画されており、該各小領域２１ａには、隣り合う小領域２１ａ，２１ａにおいて直交する方向となる多数のスリット２３，２３・・がそれぞれ形成されている。例えば、前記複数の小領域２１ａ，２１ａ・・のうち各払拭シート２ａ，２ｂ，２ｃの長辺方向（左右方向）の端に位置するものから長辺方向に並ぶものには、短辺方向（前後方向）に平行な多数のスリット２３，２３・・および長辺方向（左右方向）に平行な多数のスリット２３，２３・・が順次形成されている。この場合、隣り合う小領域２１ａ，２１ａにおけるスリット２３，２３・・が互いに直交する方向に向けて形成されているため、払拭シート２を動かす方向にかかわらず、塵埃の捕捉効果が低減することがなくなる。
【符号の説明】
【００５４】
１はベースシート
２，２ａ，２ｂ，２ｃは払拭シート
３は細幅接着部
２１は中央領域
２１ａは小領域
２３はスリット
５０は掃除具
５１はシート取付台
Ｓは掃除用シート
Ｗは短辺幅
【図１】
0003163678.tif 000004
【図２】
0003163678.tif 000005
【図３】
0003163678.tif 000006
【図４】
0003163678.tif 000007
【図５】
0003163678.tif 000008
【図６】
0003163678.tif 000009